【手続補正書】
【提出日】平成21年9月30日(2009.9.30)
【手続補正１】
【補正対象書類名】特許請求の範囲
【補正対象項目名】全文
【補正方法】変更
【補正の内容】
【特許請求の範囲】
【請求項１】
Ｎ×Ｍ個の加入者装置を接続することができるようにＭ個のＮ分岐スプリッタ（３１〜３８）を線路上に設置するとともに、ｘ個のチャンネルをそれぞれ割り当てることができる複数個の局用装置（１１，１２）から前記Ｎ×Ｍ個の加入者装置にチャンネルを１つずつ割り当てることによりＰＯＮ方式の光ネットワークを構築するときに使用される光ネットワーク用チャンネル割当方法であって、
前記ＰＯＮ方式の光ネットワークを構築する当初では加入者数が少なく、前記Ｍ個のＮ分岐スプリッタ（３１〜３８）の各Ｎ分岐スプリッタに接続される少なくとも１個の加入者装置にチャンネルを１つずつ割り当てるとともに合計で（Ｎ×Ｍ）／（２の倍数）個の加入者装置にのみチャンネルを１つずつ割り当てておけばよいときには、
前記複数個の局用装置（１１，１２）のうち、（Ｎ×Ｍ）／（２の倍数）個の加入者装置にのみチャンネルを１つずつ割り当てるのに必要な個数の局用装置（１１）のみを通信局舎内設備として設置するとともに、
前記必要な個数の局用装置（１１）と前記Ｍ個のＮ分岐スプリッタ（３１〜３８）のすべてとを光ファイバを介して接続するための少なくとも１個のＬ分岐スプリッタ（２１，２２）を通信局舎内設備として設置し、
前記ＰＯＮ方式の光ネットワークを構築する当初では、前記必要な個数の局用装置（１１）のうちの１個の局用装置から、前記Ｍ個のＮ分岐スプリッタ（３１〜３８）のうちの１個のＮ分岐スプリッタに接続される加入者装置に前記ｘ個のチャンネルのうちのｙ個の連続するチャンネルを所定の割当方向に従って１つずつ割り当てるとともに、前記Ｍ個のＮ分岐スプリッタ（３１〜３８）のうちの他の１個のＮ分岐スプリッタに接続される加入者装置に前記ｘ個のチャンネルのうちの残りの（ｘ−ｙ）個のチャンネルのうちのｚ個（ｚはｘ−ｙ以下）の連続するチャンネルを前記所定の割当方向とは逆の割当方向に従って１つずつ割り当てることにより、前記必要な個数の局用装置（１１）から前記Ｍ個のＮ分岐スプリッタ（３１〜３８）の各Ｎ分岐スプリッタに接続される少なくとも１個の加入者装置にチャンネルを１つずつ割り当てるとともに前記合計で（Ｎ×Ｍ）／（２の倍数）個の加入者装置にのみチャンネルを１つずつ割り当てておき、
前記ＰＯＮ方式の光ネットワークを構築したのちに加入者数が増加して、前記Ｍ個のＮ分岐スプリッタ（３１〜３８）のうちの少なくとも１個のＮ分岐スプリッタに接続される加入者装置の数が多くなって前記必要な個数の局用装置（１１）のみではチャンネルを割り当てることができなくなると、前記複数個の局用装置（１１，１２）のうちの他の局用装置（１２）を通信局舎内設備として新たに設置していくことにより、加入者数の少ない該ＰＯＮ方式の光ネットワークを構築する当初に通信局舎内設備として設置する局用装置の個数を減らした、
ことを特徴とする、光ネットワーク用チャンネル割当方法。
【請求項２】
前記ＰＯＮ方式の光ネットワークを構築したのちに加入者数が増加して、前記１個のＮ分岐スプリッタに接続される加入者装置の数が多くなり、前記ｙ個のチャンネルではチャンネルを割り当てることができなくなった場合には、前記他の１個のＮ分岐スプリッタにおいて未使用チャンネルがあると、該ＰＯＮ方式の光ネットワークを構築したのちに該１個のＮ分岐スプリッタに接続される加入者装置には該未使用チャンネルを前記所定の割当方向に従って１つずつ割り当てることを特徴とする、請求項１記載の光ネットワーク用チャンネル割当方法。
【請求項３】
前記１個のＮ分岐スプリッタにおいて、前記ｙ個のチャンネルおよび前記未使用チャンネルでは前記ＰＯＮ方式の光ネットワークを構築したのちに該１個のＮ分岐スプリッタに接続される加入者装置にチャンネルを割り当てることができなくなると、前記他の局用装置（１２）と共に、該他の局用装置（１２）と該１個のＮ分岐スプリッタとを接続するための少なくとも１個の（Ｌ／（２の倍数））分岐スプリッタ（４１，４２）を通信局舎内設備として新たに設置していくことを特徴とする、請求項２記載の光ネットワーク用チャンネル割当方法。
【請求項４】
前記１個のＮ分岐スプリッタに接続されるＮ個の加入者装置のすべてに前記他の局用装置（１２）からチャンネルを１つずつ割り当てることを特徴とする、請求項３記載の光ネットワーク用チャンネル割当方法。
【請求項５】
前記他の局用装置（１２）を新たに設置していくことにより前記複数個の局用装置（１１，１２）がすべて通信局舎内設備として設置されると、該複数個の局用装置（１１，１２）から前記Ｎ×Ｍ個の加入者装置にチャンネルを１つずつ割り当てることを特徴とする、請求項３または４記載の光ネットワーク用チャンネル割当方法。
【請求項６】
前記複数個の局用装置（１１，１２）がすべて通信局舎内設備として設置されると、前記少なくとも１個のＬ分岐スプリッタ（２１，２２）を少なくとも１個の他の（Ｌ／（２の倍数））分岐スプリッタに取り換えることを特徴とする、請求項３乃至５いずれかに記載の光ネットワーク用チャンネル割当方法。
【請求項７】
前記複数個の局用装置（１１，１２）がそれぞれ互いに重複するチャンネルを有する場合には、互いに重複するチャンネルが前記Ｍ個のＮ分岐スプリッタ（３１〜３８）にそれぞれ接続されたＮ個ずつの加入者装置に割り当てられないように、前記複数個の局用装置（１１，１２）から前記Ｎ×Ｍ個の加入者装置にチャンネルを１つずつ割り当てることを特徴とする、請求項６記載の光ネットワーク用チャンネル割当方法。
【請求項８】
前記必要な個数の局用装置のうちの１個の局用装置（１１）が、互いに重複するチャンネルを有する２個の光インターフェースを備えている場合には、
前記ＰＯＮ方式の光ネットワークを構築する当初は、
２個のＬ分岐スプリッタ（２１，２２）を通信局舎内設備として設置し、
前記１個の局用装置（１１）と前記２個のＬ分岐スプリッタ（２１，２２）のうちの１個のＬ分岐スプリッタ（２１）とを、前記２個の光インターフェースのうちの一方の光インターフェースのチャンネルが割り当てられた光ファイバを介して接続するとともに、該１個の局用装置（１１）と該２個のＬ分岐スプリッタ（２１，２２）のうちの他の１個のＬ分岐スプリッタ（２２）とを、前記２個の光インターフェースのうちの他方の光インターフェースのチャンネルが割り当てられた光ファイバを介して接続し、
前記他の局用装置（１２）が、互いに重複するチャンネルを有する２個の他の光インターフェースを備えている場合には、
前記他の局用装置（１２）を通信局舎内設備として新たに設置すると、
２個の（Ｌ／（２の倍数））分岐スプリッタ（４１，４２）を通信局舎内設備として新たに設置し、
前記他の局用装置（１２）と前記２個の（Ｌ／（２の倍数））分岐スプリッタ（４１，４２）のうちの１個の（Ｌ／（２の倍数））分岐スプリッタ（４１）とを、前記２個の光インターフェースのうちの一方の光インターフェースのチャンネルが割り当てられた光ファイバを介して接続するとともに、該他の局用装置（１２）と前記２個の（Ｌ／（２の倍数））分岐スプリッタ（４１，４２）のうちの他の１個の（Ｌ／（２の倍数））分岐スプリッタ（４２）とを、前記２個の光インターフェースのうちの他方の光インターフェースのチャンネルが割り当てられた光ファイバを介して接続する、
ことを特徴とする、請求項７記載の光ネットワーク用チャンネル割当方法。
【手続補正２】
【補正対象書類名】明細書
【補正対象項目名】００１４
【補正方法】変更
【補正の内容】
【００１４】
本発明の光ネットワーク用チャンネル割当方法は、Ｎ×Ｍ個の加入者装置を接続することができるようにＭ個のＮ分岐スプリッタ（３１〜３８）を線路上に設置するとともに、ｘ個のチャンネルをそれぞれ割り当てることができる複数個の局用装置（１１，１２）から前記Ｎ×Ｍ個の加入者装置にチャンネルを１つずつ割り当てることによりＰＯＮ方式の光ネットワークを構築するときに使用される光ネットワーク用チャンネル割当方法であって、前記ＰＯＮ方式の光ネットワークを構築する当初では加入者数が少なく、前記Ｍ個のＮ分岐スプリッタ（３１〜３８）の各Ｎ分岐スプリッタに接続される少なくとも１個の加入者装置にチャンネルを１つずつ割り当てるとともに合計で（Ｎ×Ｍ）／（２の倍数）個の加入者装置にのみチャンネルを１つずつ割り当てておけばよいときには、前記複数個の局用装置（１１，１２）のうち、（Ｎ×Ｍ）／（２の倍数）個の加入者装置にのみチャンネルを１つずつ割り当てるのに必要な個数の局用装置（１１）のみを通信局舎内設備として設置するとともに、前記必要な個数の局用装置（１１）と前記Ｍ個のＮ分岐スプリッタ（３１〜３８）のすべてとを光ファイバを介して接続するための少なくとも１個のＬ分岐スプリッタ（２１，２２）を通信局舎内設備として設置し、前記ＰＯＮ方式の光ネットワークを構築する当初では、前記必要な個数の局用装置（１１）のうちの１個の局用装置から、前記Ｍ個のＮ分岐スプリッタ（３１〜３８）のうちの１個のＮ分岐スプリッタに接続される加入者装置に前記ｘ個のチャンネルのうちのｙ個の連続するチャンネルを所定の割当方向に従って１つずつ割り当てるとともに、前記Ｍ個のＮ分岐スプリッタ（３１〜３８）のうちの他の１個のＮ分岐スプリッタに接続される加入者装置に前記ｘ個のチャンネルのうちの残りの（ｘ−ｙ）個のチャンネルのうちのｚ個（ｚはｘ−ｙ以下）の連続するチャンネルを前記所定の割当方向とは逆の割当方向に従って１つずつ割り当てることにより、前記必要な個数の局用装置（１１）から前記Ｍ個のＮ分岐スプリッタ（３１〜３８）の各Ｎ分岐スプリッタに接続される少なくとも１個の加入者装置にチャンネルを１つずつ割り当てるとともに前記合計で（Ｎ×Ｍ）／（２の倍数）個の加入者装置にのみチャンネルを１つずつ割り当てておき、前記ＰＯＮ方式の光ネットワークを構築したのちに加入者数が増加して、前記Ｍ個のＮ分岐スプリッタ（３１〜３８）のうちの少なくとも１個のＮ分岐スプリッタに接続される加入者装置の数が多くなって前記必要な個数の局用装置（１１）のみではチャンネルを割り当てることができなくなると、前記複数個の局用装置（１１，１２）のうちの他の局用装置（１２）を通信局舎内設備として新たに設置していくことにより、加入者数の少ない該ＰＯＮ方式の光ネットワークを構築する当初に通信局舎内設備として設置する局用装置の個数を減らしたことを特徴とする。
ここで、前記ＰＯＮ方式の光ネットワークを構築したのちに加入者数が増加して、前記１個のＮ分岐スプリッタに接続される加入者装置の数が多くなり、前記ｙ個のチャンネルではチャンネルを割り当てることができなくなった場合には、前記他の１個のＮ分岐スプリッタにおいて未使用チャンネルがあると、該ＰＯＮ方式の光ネットワークを構築したのちに該１個のＮ分岐スプリッタに接続される加入者装置には該未使用チャンネルを前記所定の割当方向に従って１つずつ割り当ててもよい。
前記１個のＮ分岐スプリッタにおいて、前記ｙ個のチャンネルおよび前記未使用チャンネルでは前記ＰＯＮ方式の光ネットワークを構築したのちに該１個のＮ分岐スプリッタに接続される加入者装置にチャンネルを割り当てることができなくなると、前記他の局用装置（１２）と共に、該他の局用装置（１２）と該１個のＮ分岐スプリッタとを接続するための少なくとも１個の（Ｌ／（２の倍数））分岐スプリッタ（４１，４２）を通信局舎内設備として新たに設置していってもよい。
前記１個のＮ分岐スプリッタに接続されるＮ個の加入者装置のすべてに前記他の局用装置（１２）からチャンネルを１つずつ割り当ててもよい。
前記他の局用装置（１２）を新たに設置していくことにより前記複数個の局用装置（１１，１２）がすべて通信局舎内設備として設置されると、該複数個の局用装置（１１，１２）から前記Ｎ×Ｍ個の加入者装置にチャンネルを１つずつ割り当ててもよい。
前記複数個の局用装置（１１，１２）がすべて通信局舎内設備として設置されると、前記少なくとも１個のＬ分岐スプリッタ（２１，２２）を少なくとも１個の他の（Ｌ／（２の倍数））分岐スプリッタに取り換えてもよい。
前記複数個の局用装置（１１，１２）がそれぞれ互いに重複するチャンネルを有する場合には、互いに重複するチャンネルが前記Ｍ個のＮ分岐スプリッタ（３１〜３８）にそれぞれ接続されたＮ個ずつの加入者装置に割り当てられないように、前記複数個の局用装置（１１，１２）から前記Ｎ×Ｍ個の加入者装置にチャンネルを１つずつ割り当ててもよい。
前記必要な個数の局用装置のうちの１個の局用装置（１１）が、互いに重複するチャンネルを有する２個の光インターフェースを備えている場合には、前記ＰＯＮ方式の光ネットワークを構築する当初は、２個のＬ分岐スプリッタ（２１，２２）を通信局舎内設備として設置し、前記１個の局用装置（１１）と前記２個のＬ分岐スプリッタ（２１，２２）のうちの１個のＬ分岐スプリッタ（２１）とを、前記２個の光インターフェースのうちの一方の光インターフェースのチャンネルが割り当てられた光ファイバを介して接続するとともに、該１個の局用装置（１１）と該２個のＬ分岐スプリッタ（２１，２２）のうちの他の１個のＬ分岐スプリッタ（２２）とを、前記２個の光インターフェースのうちの他方の光インターフェースのチャンネルが割り当てられた光ファイバを介して接続し、前記他の局用装置（１２）が、互いに重複するチャンネルを有する２個の他の光インターフェースを備えている場合には、前記他の局用装置（１２）を通信局舎内設備として新たに設置すると、２個の（Ｌ／（２の倍数））分岐スプリッタ（４１，４２）を通信局舎内設備として新たに設置し、前記他の局用装置（１２）と前記２個の（Ｌ／（２の倍数））分岐スプリッタ（４１，４２）のうちの１個の（Ｌ／（２の倍数））分岐スプリッタ（４１）とを、前記２個の光インターフェースのうちの一方の光インターフェースのチャンネルが割り当てられた光ファイバを介して接続するとともに、該他の局用装置（１２）と前記２個の（Ｌ／（２の倍数））分岐スプリッタ（４１，４２）のうちの他の１個の（Ｌ／（２の倍数））分岐スプリッタ（４２）とを、前記２個の光インターフェースのうちの他方の光インターフェースのチャンネルが割り当てられた光ファイバを介して接続してもよい。